(57)【要約】【課題】冷媒ガスガイドと通路カバーの隙間が組立バラツキ等で大きくなっても、その隙間からのオイルミストを多く含んだ冷媒ガスの短絡を抑制して、圧縮機外へオイルの持ち出しを抑制できる密閉型圧縮機を提供する。【解決手段】通路カバー２５１および固定子２０３ａの圧縮機構部側のインシュレータ２０３ｃに取り付けられる冷媒ガスガイド２０３ｄに相互に当接にする概円筒形状の隔壁シール部材２９１を一端が通路カバー２５１又は冷媒ガスガイド２０３ｄに嵌合固定し、他端が折返しによるカエリ部２９１ｂの弾性作用により冷媒ガスガイド２０３ｄ又は通路カバー２５１の壁面に滑らかに押接するように設置する。これにより、冷媒ガスガイド２０３ｄと通路カバー２５１の隙間２８３をシールしてオイルミストを含んだ冷媒ガスの短絡を抑制し、圧縮機外へのオイルの持ち出しを抑制する。【選択図】図３
2010144681.tif 000002
【特許請求の範囲】
【請求項１】
密閉容器内に圧縮機構と、この圧縮機構の下方に設けた圧縮機構を駆動するためのインシュレータ付電動機と、この電動機の回転力を圧縮機構部に伝達するためのクランク軸と、密閉容器内の下部に設けたオイル溜めのオイルをクランク軸を通じてクランク軸の軸受部や圧縮機構部摺動部に供給する給油機構とを備え、圧縮機構から吐出される冷媒ガスが、圧縮機構上部の容器内吐出室、この容器内吐出室と圧縮機構下部を連通させる圧縮機構連通路、この圧縮機構連通路から回転子上部室まで続く通路カバーで囲われた連通路、電動機の上部と下部とを連通する通路、回転子下部室を順次経て電動機下に至り、さらに固定子の下部と上部とを連通させるように固定子または固定子と密閉容器との間に設けられた固定子通路を通って前記連通路外回りの固定子上部室、圧縮機構または圧縮機構と密閉容器との間に設けられた圧縮機構上昇通路を経て、密閉容器の固定子上部室の位置以上の部分に設けられた外部吐出孔を通って密閉容器外に吐出されるようにする容器内冷媒ガス通路を設けた密閉型圧縮機において、前記通路カバーおよび前記固定子の圧縮機構部側のインシュレータに取り付けた概円筒形状の冷媒ガスガイドに相互に当接にする概円筒形状の隔壁シール部材を設け、この隔壁シール部材は一端が前記通路カバーまたは前記冷媒ガスガイドに密接に嵌合固定され、他端が折返しによるカエリ部の弾性作用により前記冷媒ガスガイドまたは前記通路カバーの壁面に滑らかに押接されることを特徴とする密閉型圧縮機。
【請求項２】
前記冷媒ガスガイドを電動機の圧縮機構側のインシュレータと一体構成した請求項１に記載の密閉型圧縮機。
【請求項３】
前記隔壁シール部材はＰＥＴ等の樹脂系フィルムであることを特徴とする請求項１または請求項２に記載の密閉型圧縮機。
【請求項４】
前記隔壁シール部材の弾性カエリ部は放射状の切込みによる複数のシール片で構成される請求項１〜３に記載の密閉型圧縮機。
【請求項５】
前記隔壁シール部材の弾性カエリ部の放射状シール片の先端部もしくは根元部を円弧形状または面取り形状とした請求項１〜４いずれか１項に記載の密閉型圧縮機。
【請求項６】
作動冷媒として高圧冷媒である二酸化炭素を用いた請求項１〜５いずれか１項に記載の密閉型圧縮機。
【発明の詳細な説明】
【技術分野】
【０００１】
本発明は、空調機、冷凍機等に使用される密閉型圧縮機に関するものである。
【背景技術】
【０００２】
以下に従来の密閉型圧縮機の冷媒ガスの流れとオイル分離の方式について図面を参照にしながら説明する。
【０００３】
図５は特許文献１に記載された従来の密閉型圧縮機（ここでは空調用スクロール圧縮機）の縦断面図を示すものである。密閉容器１内に圧縮機構２、この圧縮機構２の下方に設けた圧縮機構２を駆動するための電動機３と、この電動機３の回転力を圧縮機構２に伝達するためのクランク軸４とを備え、密閉容器１内の下部に設けたオイル溜め２０のオイル６をクランク軸４を通じてクランク軸４の軸受部６６や圧縮機構２の摺動部に供給する給油機構７とを備えている。
【０００４】
これによって、オイル６は給油機構７によって重力に逆らって軸受部６６や圧縮機構２の摺動部に強制給油されて、円滑な動作を確保しながら、圧縮機構２で圧縮した冷媒ガスを密閉容器１内の電動機３の部分を通して電動機３を冷却した後、密閉容器１外に吐出するようにしており、軸受部６６や圧縮機構２の摺動部に供給した後のオイルが供給圧や重力によって下方に移動しオイル溜め２０に自然回収されるようにすることができる。
【０００５】
しかし、冷媒ガスは常時オイルと接触してこれを随伴させ、密閉容器から冷凍サイクルに供給される際にオイルを持ち込んでしまい、冷凍サイクル中での配管圧力損失や凝縮器や蒸発器などの熱交換器での熱交換効率の低下をもたらす問題がある。
【０００６】
この問題を解消するのに従来、圧縮機構から密閉容器内に吐出した冷媒ガスが電動機を通ってこの電動機を冷却しながら密閉容器外に吐出されるまでの冷媒ガスの通路を、オイルの衝突分離や遠心分離が繰り返し生じるように設計して、密閉容器外に吐出される冷媒ガスにオイルが随伴しないように工夫したり、圧縮機構２から吐出される冷媒ガスが、圧縮機構上部の容器内吐出室３１、この容器内吐出室３１から圧縮機構２の下部に連通させる圧縮機構連通路３２、この圧縮機構連通路３２から回転子上部室３３まで続くように通路カバーで囲われた連通路３４、回転子上部室３３と回転子下部室３５を順次経て電動機の下に至り、さらに固定子３ａの下部と上部とを連通させるように固定子３ａまたは固定子３ａと密閉容器１との間に設けられた固定子通路３７を通って連通路３４外まわりの固定子上部室３８に抜けた後、密閉容器１の固定子上部室３８の位置以上の部分に設けられた外部吐出孔３９を通って密閉容器１外に吐出されるようにする容器内冷媒ガス通路経路を設けるなどしている（例えば、特許文献１参照）。
【０００７】
また、銅損の大幅低を実現することによって電動機の高効率化を図れる直巻線方式による集中巻き型のタイプでは、その独特なコイルエンドに対応するため、コイルエンド外周および上部を覆う隔離壁により通路を隔離するとともに気液分離作用を向上させる方法（例えば、特許文献２参照）や、インシュレータ形状（例えば、特許文献３参照）も開示されている。
【特許文献１】特開２００１−２８０２５２号公報
【特許文献２】特開２００４−２７０６６８号公報
【特許文献３】特開２００７−１５９１９２号公報
【発明の開示】
【発明が解決しようとする課題】
【０００８】
従来の技術においては圧縮機構部からの連絡路、電動機の回転子および固定子を用いてガスを効果的に拘束してガスとオイルの気液分離を行う設計思想であったが、電動機周りの寸法によってはガスの拘束が必ずしも十分に行なえないことがあった。
【０００９】
例えば、固定子上部のコイルエンドと冷媒ガスを回転子上部へ誘導するための通路カバーの隙間が組立てバラツキ等で大きくなったりすると、その隙間からの冷媒ガスの短絡によって、回転子上部の冷媒ガスの拘束および誘導能力が低下することによって、気液分離効果が低下してしまう問題があった。
【００１０】
また、固定子上部にインシュレータが装着される電動機においても、インシュレータと通路カバーの隙間が組立てバラツキ等で大きくなったりすると、同様にその隙間からの冷媒ガスの短絡によって、回転子上部の冷媒ガスの拘束および誘導能力が低下することによって、気液分離効果が低下してしまう問題があった。
【００１１】
本発明はこのような従来の課題を解決するものであり、インシュレータと通路カバーの隙間をシールすることによりオイルミストを多く含んだ冷媒ガスの短絡を抑制して、圧縮機外へのオイルの持ち出し（オイル吐出量）を抑制できる密閉型圧縮機を提供することを目的としている。
【課題を解決するための手段】
【００１２】
上記課題を解決するために本発明は、通路カバーおよび固定子の圧縮機構部側のインシュレータに取り付けた概円筒形状の冷媒ガスガイドに相互に当接にする概円筒形状の隔壁シール部材を設け、この隔壁シール部材を一端が通路カバーもしくは冷媒ガスガイドに密接に嵌合固定するとともに、他端が折返しによるカエリ部の弾性作用により冷媒ガスガイドもしくは通路カバーの壁面に滑らかに押接するように設置するものである。
【００１３】
上記構成にすることによって、インシュレータに取り付けられた冷媒ガスガイドと通路カバーの隙間をシールすることによりオイルミストを多く含んだ冷媒ガスの短絡を抑制して、圧縮機外へのオイルの持ち出しを抑制できる。
【発明の効果】
【００１４】
本発明の密閉型圧縮機は、通路カバーおよび固定子の圧縮機構部側のインシュレータに取り付けた概円筒形状の冷媒ガスガイドに相互に当接にする概円筒形状の隔壁シール部材を設け、この隔壁シール部材を一端が通路カバーもしくは冷媒ガスガイドに密接に嵌合固定するとともに、他端が折返しによるカエリ部の弾性作用により冷媒ガスガイドもしくは通路カバーの壁面に滑らかに押接するように設置することによって、インシュレータに取り付けられた冷媒ガスガイドと通路カバーの隙間をシールすることによりオイルミストを多く含んだ冷媒ガスの短絡を抑制して、圧縮機外へのオイルの持ち出しを抑制できる密閉型圧縮機を実現することができる。
【発明を実施するための最良の形態】
【００１５】
第１の発明は、密閉容器内に圧縮機構と、この圧縮機構の下方に設けた圧縮機構を駆動するためのインシュレータ付電動機と、この電動機の回転力を圧縮機構部に伝達するためのクランク軸と、密閉容器内の下部に設けたオイル溜めのオイルを、クランク軸を通じてクランク軸の軸受部や圧縮機構部摺動部に供給する給油機構とを備え、圧縮機構から吐出される冷媒ガスが、圧縮機構上部の容器内吐出室、この容器内吐出室と圧縮機構下部を連通させる圧縮機構連通路、この圧縮機構連通路から回転子上部室まで続く通路カバーで囲われた連通路、電動機の上部と下部とを連通する通路、回転子下部室を順次経て電動機下に至り、さらに固定子の下部と上部とを連通させるように固定子または固定子と密閉容器
との間に設けられた固定子通路を通って前記連通路外回りの固定子上部室、圧縮機構または圧縮機構と密閉容器との間に設けられた圧縮機構上昇通路を経て、密閉容器の固定子上部室の位置以上の部分に設けられた外部吐出孔を通って密閉容器外に吐出されるようにする容器内冷媒ガス通路を設けた密閉型圧縮機において、通路カバーおよび固定子の圧縮機構部側のインシュレータに取り付けた概円筒形状の冷媒ガスガイドに相互に当接にする概円筒形状の隔壁シール部材を設け、この隔壁シール部材を一端が通路カバーもしくは冷媒ガスガイドに密接に嵌合固定するとともに、他端が折返しによるカエリ部の弾性作用により冷媒ガスガイドもしくは通路カバーの壁面に滑らかに押接するように設置するものである。
【００１６】
このような構成にすることによって、インシュレータと通路カバーの隙間が組立てバラツキ等で大きくなったりあるいは不均一になったりした場合でも、その隙間を適度に吸収しかつシールすることによって、その隙間からのオイルミストを多く含んだ冷媒ガスの短絡を抑制して、圧縮機外へのオイルの持ち出しを抑制できる。インシュレータと通路カバーの隙間をシールすることによりオイルミストを多く含んだ冷媒ガスの短絡を抑制して、圧縮機外へのオイルの持ち出しを抑制できる。
【００１７】
第２の発明は、冷媒ガスガイドを電動機の圧縮機構側のインシュレータと一体構成することにより電動機をより安価に製作することができる。
【００１８】
第３の発明は、隔壁シール部材をＰＥＴ等の樹脂系フィルムにすることによって、インシュレータと通路カバーの隙間が組立てバラツキ等で大きくなったりあるいは不均一になったりした場合でも、その隙間を適度に吸収しかつシールすることによって、電動機と圧縮機構部の間の振動の伝達による圧縮機の騒音振動を増大させることなく、その隙間からのオイルミストを多く含んだ冷媒ガスの短絡を抑制して、圧縮機外へのオイルの持ち出しを抑制できる。
【００１９】
第４の発明は、隔壁シール部材の弾性カエリ部を放射状の切込みによる複数のシール片で構成することによって、インシュレータと通路カバーの隙間が組立てバラツキ等で特に不均一になったりした場合でも、その方向による隙間のバラツキに応じてシール片が追従してシールを確保することによって、その隙間からのオイルミストを多く含んだ冷媒ガスの短絡を抑制して、圧縮機外へのオイルの持ち出しを抑制できるとともに、隔壁シール部材を安価に製作することができる。
【００２０】
第５の発明は、隔壁シール部材の弾性カエリ部の放射状シール片の先端部もしくは根元部に、Ｒもしくは面取りを設ける構成にすることによって、組付け時におけるシール片の壁面干渉による傷の発生やシール片の破損を防止することができる。
【００２１】
第６の発明は、第１〜５のいずれかの発明の密閉型圧縮機において、冷媒として二酸化炭素を用いることで、通路カバーおよび固定子の圧縮機構部側のインシュレータ近傍の圧力差が大きくなる場合においても、圧縮機外へのオイルの持ち出しを抑制できる。
【００２２】
以下本発明の実施の形態について、図面を参照しながら説明する。
【００２３】
（実施の形態１）
図１は、本発明の実施の形態における密閉型圧縮機（スクロール式密閉圧縮機）の縦断面図である。図１に示すように、密閉容器２０１内に溶接や焼き嵌めなどして固定したクランク軸２０４の主軸受部材２１１と、この主軸受部材２１１上にボルト止めした固定スクロール２１２との間に、固定スクロール２１２と噛み合う旋回スクロール２１３を挟み込んでスクロール式の圧縮機構２０２を構成し、旋回スクロール２１３と主軸受部材２１
１との間に旋回スクロール２１３の自転を防止して円軌道運動するように案内するオルダムリングなどによる自転規制機構２１４を設けて、クランク軸２０４の上端にある主軸部２０４ａにて旋回スクロール２１３を偏心駆動することにより旋回スクロール２１３を円軌道運動させ、これにより固定スクロール２１２と旋回スクロール２１３との間に形成している圧縮室２１５が外周側から中央部に移動しながら小さくなるのを利用して、密閉容器２０１外に通じた吸入パイプ２１６および固定スクロール２１２の外周部の吸入口２１７から冷媒ガスを吸入して圧縮していき所定圧力以上になった冷媒ガスは固定スクロール２１２の中央部の吐出口２１８からリード弁２１９を押し開いて密閉容器２０１内に吐出させることを繰り返す。
【００２４】
クランク軸２０４の下端は密閉容器２０１の下端部のオイル溜め２２０に達して、密閉容器２０１内に溶接や焼き嵌めして固定された副軸受部材２２１により軸受され、安定に回転することができる。
【００２５】
電動機２０３は主軸受部材２１１と副軸受部材２２１との間に位置して、密閉容器２０１に溶接や焼き嵌めなどして固定された固定子２０３ａと、クランク軸２０４の途中の外まわりに一体に結合された回転子２０３ｂとで構成され、回転子２０３ｂの上下端面の外周部分にはピン２２２により止め付けられたバランスウエイト２２３、２２４が設けられ、これにより回転子２０３ｂおよびクランク軸２０４が安定して回転し、旋回スクロール２１３を安定して旋回軌道運動させることができる。
【００２６】
給油機構２０７はクランク軸２０４の下端で駆動されるポンプ２２５によってオイル溜め２２０内のオイル２０６をクランク軸２０４を通縦しているオイル供給穴２２６を通じて圧縮機構２０２の各部の軸受部２６６や圧縮機構２０２の各摺動部に供給し、供給後のオイル２０６は供給圧や重力によって逃げ場を求めるようにして軸受部２６６を通じ主軸受部材２１１の下に流出して滴下し、最終的にオイル溜め２２０に回収される。
【００２７】
しかしながら実際には、圧縮機構２０２から吐出される破線矢印で示す冷媒ガス２２７には圧縮機構２０２内で接触したオイル２０６を随伴させていたり、主軸受部材２１１の下に滴下してくる供給後のオイル２０６を飛散させて随伴させたりしていて、従来これを十分に分離できず密閉容器２０１外に吐出する冷媒ガスとともにオイルも吐出されてしまう問題があり、それを防止するために以下のような構成をとっている。
【００２８】
圧縮機構２０２から吐出される冷媒ガス２２７が、圧縮機構２０２の上部の容器内吐出室２３１、この容器内吐出室２３１と圧縮機構２０２の下部を連通させる圧縮機構連通路２３２、この圧縮機構連通路２３２から回転子上部室２３３に続く連絡路２３４、回転子上部室２３３と回転子下部室２３５を連通させるように回転子２０３ｂに設けた回転子通路２３６、固定子２０３ａと回転子２０３ｂとの電動機ギャップ２８０、回転子下部室２３５、を順次経て電動機２０３の下に至り、さらに固定子２０３ａの下部と上部とを連通させるように固定子２０３ａまたは固定子２０３ａと密閉容器２０１との間に設けられた固定子通路２３７を通って前記連絡路２３４の外まわりの固定子上部室２３８に抜けた後、密閉容器２０１の固定子上部室２３８の位置以上の部分に設けられた外部吐出口２３９を通って密閉容器２０１外に吐出されるようにする容器内ガス通路を設けてある。
【００２９】
このような容器内ガス通路の容器内吐出室２３１と、圧縮機構連通路２３２とは、圧縮機構２０２およびその軸受部２６６の外回りに位置して、圧縮機構２０２から吐出される冷媒ガス２２７を一括して圧縮機構２０２の下部の連絡路２３４に吐出させ、続いて連絡路２３４は吐出されてきた冷媒ガス２２７を回転子上部室２３３、固定子上部室２７１に導く。
【００３０】
上記の様に誘導された冷媒ガス２２７の一部は、回転子２０３ｂおよびバランスウエイト２２３の回転による影響で緩く旋回する状態で回転子通路２３６内に進入させて下方に通りぬけ、オイル２０６を分離する分離板２６１に強く衝突して、随伴しているオイル２０６を効果的に分離し、またオイル２０６のミストを液滴化しかつ成長させて、分離板２６１と回転子２０３ｂの下端との間の空間の円周上の少なくとも一部が側方へ開口していることにより遠心分離作用が働き、オイル２０６の分離効果を高めている。
【００３１】
また、残りの冷媒ガス２２７は、冷媒ガスガイドカップ２８２外壁と通路カバー２５１内壁の狭い空間から電動機ギャップ２８０を経て回転子下部室２３５に流れるものと、通路カバー２５１外壁と固定子２０３ａのインシュレータ２０３ｃに取り付けた概円筒形状の冷媒ガスガイド２０３ｄ内壁の隙間２８３に設置される概円筒形状の隔壁シール部材２９１を経て固定子上部室２３８へ流れるものに分かれる。
【００３２】
前者は電動機ギャップ２８０の流路抵抗が回転子通路２３６の通路抵抗より格段に大きくなるために、電動機ギャップ２８０を流れる冷媒ガス量は回転子通路２３６に流れる冷媒ガス２２７に比べ極めて小さな量になる。
【００３３】
一方後者はオイルミストを多く含んだ状態のままの冷媒ガス２２７が固定子上部室２３８へ短絡する経路になるが、隔壁シール部材２９１は一端が通路カバー２５１もしくは冷媒ガスガイド２０３ｄに密接に嵌合固定され、他端が折返しによるカエリ部２９１ａの弾性作用により冷媒ガスガイド２０３ｄもしくは通路カバー２５１の壁面に滑らかに押接するように設置されるため、この部分を通過する流路抵抗がさらに大きくなり、この経路を流れる冷媒ガス量も回転子通路２３６に流れる冷媒ガス２２７に比べ極めて小さな量になり、かつ十分に気液分離された状態になる。
【００３４】
また、隔壁シール部材２９１の一端のカエリ部２９１ａが弾性作用を持つために、インシュレータ２０３ｃの冷媒ガスガイド２０３ｄと通路カバー２５１の隙間が組立てバラツキ等で大きくなったりあるいは不均一になったりした場合でも、その隙間を適度に吸収しかつシールすることによって、オイルミストを多く含んだ冷媒ガスの短絡抑制作用を維持することができ、圧縮機外へのオイルの持ち出しを抑制できる。
【００３５】
以上のようにしてオイル２０６を十分に分離されて電動機下部空間に導かれた冷媒ガス２２７は、固定子通路２３７を通って軸受部２６６まわりにある連絡路２３４のさらに外まわりの固定子上部室２３８に達して、圧縮機構２０２に設けられた圧縮機構上昇通路（図示せず）を経て、密閉容器２０１の固定子上部室２３８の位置以上の部分にある外部吐出口２３９から密閉容器２０１外に吐出でき、圧縮機外へのオイルの持ち出しを抑制できることによって冷凍サイクル中での配管圧力損失や凝縮器、蒸発器などの熱交換器での熱交換効率の低下を防止することができる。
【００３６】
（実施の形態２）
また、図２に示すように、冷媒ガスガイド２０３ｄを電動機２０３の圧縮機構側のインシュレータ２０３ｃと一体構成にし、その高さを適度に設定することにより電動機をより安価に製作することができる。
【００３７】
（実施の形態３）
また、隔壁シール部材２９１をＰＥＴ等の樹脂系フィルムにすることによって、インシュレータ２０３ｃと通路カバー２５１の隙間が組立てバラツキ等で大きくなったりあるいは不均一になったりした場合でも、その隙間を適度に吸収しかつシールすることによって、電動機２０３と圧縮機構２０２の間の振動の伝達による圧縮機の騒音振動を増大させることなく、その隙間２８３からのオイルミストを多く含んだ冷媒ガス２２７の短絡を抑制
して、圧縮機外へのオイルの持ち出しを抑制できる。
【００３８】
（実施の形態４）
また、図３に示すように、隔壁シール部材２９１の弾性カエリ部２９１ａを放射状の切込みによる複数のシール片２９１ｂで構成することによって、インシュレータ２０３ｃと通路カバー２５１の隙間が組立てバラツキ等で特に不均一になったりした場合でも、その方向による隙間のバラツキに応じてシール片２９１ｂが追従してシールを確保することによって、その隙間からのオイルミストを多く含んだ冷媒ガス２２７の短絡を抑制して、圧縮機外へのオイルの持ち出しを抑制できるとともに、隔壁シール部材２９１を１枚のシートからの型抜きと接着等により、安価に製作することができる。
【００３９】
（実施の形態５）
また、図４に示すように、隔壁シール部材２９１の弾性カエリ部２９１ａの放射状シール片２９１ｂの先端部２９１ｃもしくは根元部２９１ｄに、Ｒもしくは面取りを設ける構成にすることによって、組付け時におけるシール片２９１ｂが対向する壁面に干渉することによる壁面の損傷の発生やシール片２９１ｂの破損を防止することができる。
【００４０】
（実施の形態６）
また、冷媒として二酸化炭素を用いることで、通路カバーおよび固定子の圧縮機構部側のインシュレータ近傍の圧力差が大きくなる場合においても、圧縮機外へのオイルの持ち出しを抑制できる。
【産業上の利用可能性】
【００４１】
以上のように、本発明にかかる密閉型圧縮機は、通路カバーおよび固定子の圧縮機構部側のインシュレータに相互に当接にする隔壁シール部材を設ける構成にすることによって、インシュレータと通路カバーの隙間を滑らかにシールすることによりオイルミストを多く含んだ冷媒ガスの短絡を抑制して、圧縮機外へのオイルの持ち出し（オイル吐出量）を抑制できる密閉型圧縮機を実現することができ、ＨＦＣ系冷媒、ＨＣＦＣ系冷媒および自然冷媒二酸化炭素を用いたエアコンディショナー用圧縮機やヒートポンプ式給湯機用圧縮機などの用途に適用できる。
【図面の簡単な説明】
【００４２】
【図１】（ａ）本発明の実施形態１を示す密閉型圧縮機の縦断面図（ｂ）主要部拡大図（ｃ）隔壁シール部材斜視図
【図２】（ａ）本発明の実施形態２を示す密閉型圧縮機の縦断面図（ｂ）主要部拡大図（ｃ）隔壁シール部材斜視図
【図３】（ａ）本発明の実施形態４を示す密閉型圧縮機の縦断面図（ｂ）主要部拡大図（ｃ）隔壁シール部材斜視図
【図４】本発明の実施形態５を示す隔壁シール部材の拡大図
【図５】従来の密閉型圧縮機の縦断面図
【符号の説明】
【００４３】
２０１  密閉容器
２０２  圧縮機構
２０３  電動機
２０３ａ  固定子
２０３ｂ  回転子
２０３ｃ  インシュレータ
２０３ｄ  冷媒ガスガイド
２０４  クランク軸
２０６  オイル
２０７  給油機構
２１７  吸入口
２１８  吐出口
２２０  オイル溜め
２２３  バランスウエイト
２２４  バランスウエイト
２２７  冷媒ガス
２３１  容器内吐出室
２３２  圧縮機構連通路
２３３  回転子上部室
２３４  連絡路
２３５  回転子下部室
２３６  回転子通路
２３７  固定子通路
２３８  固定子上部室
２３９  外部吐出口
２４２  圧縮機構上部室
２５１  通路カバー
２６１  分離板
２７１  固定子上部室
２７５  巻き線
２８０  電動機ギャップ  
２８２  冷媒ガスガイドカップ
２８３  通路カバーとインシュレータの隙間
２９１  隔壁シール部材
２９１ａ  隔壁シール部材の弾性カエリ部
２９１ｂ  隔壁シール部材の弾性カエリ部のシール片
２９１ｃ  隔壁シール部材の弾性カエリ部のシール片の先端の角部
２９１ｄ  隔壁シール部材の弾性カエリ部のシール片の根元の角部
【図１】
2010144681.tif 000003
【図２】
2010144681.tif 000004
【図３】
2010144681.tif 000005
【図４】
2010144681.tif 000006
【図５】
2010144681.tif 000007